(57)【要約】【課題】左右に連結できる椅子において、使い勝手の向上を図る。【手段】座体２及び背もたれ３は等巾の四角形で、かつ、座体２の上面と背もたれ３の前面とは、前後方向又は上下方向に凹凸はあっても左右方向には凹凸は無いように形成されている。左右に並設した椅子は、座体の側面同士及び背もたれの側面同士を互いに重ねた状態で連結される。隣り合って椅子に跨がった状態で着座できるため、椅子の個数とは異なる人数で使用することができる。【選択図】　　　図１
2004057572.tif 000002
【特許請求の範囲】
【請求項１】
座体同士又は背もたれ同士のうち少なくとも座体同士を一体的に連続させた状態で左右並設できると共に、当該左右並設した状態に保持し得る連結手段を備えることにより、左右に並設した２つの椅子に跨がった状態で人が着座することを可能ならしめている、
連結可能な椅子。
【請求項２】
脚部と座体と背もたれとを備えていると共に、座体同士及び背もたれ同士が一体的に連続するように並設した状態に連結可能な椅子であって、複数個の椅子を、上下に嵌め合わせた状態で積み重ねることが許容されているか、又は、前後に嵌め合わせた状態で水平方向に重ね合わせることが許容されている、
請求項１に記載した連結可能な椅子。
【請求項３】
前記座体は平面視で四角形に、背もたれは正面視で四角形にそれぞれ形成されており、座体及び背もたれの左右側面を平面視で直線状に延びるように揃えることにより、複数の椅子をその座体の左右側面と背もたれの左右側面とが互いに重なった状態に並設することが許容されている一方、
前記脚部は、座体の下面から下方に延びる前後左右４本の独立脚を備えており、これら独立脚を側面視でハ字状に傾斜させており、
更に、前記座体のみ又は座体と背もたれとに、複数の椅子を上下に配置したとき上段の椅子における各脚が貫通する穴を設けることにより、複数の椅子を上下に嵌め合わせた状態で積み重ねることが可能となっている、
請求項２に記載した連結可能な椅子。
【請求項４】
座体は平面視で四角形に、背もたれは正面視で四角形にそれぞれ形成されており、座体及び背もたれの左右側面を平面視で直線状に延びるように揃えることにより、複数の椅子をその座体の左右側面と背もたれの左右側面とが互いに重なった状態に並設することが許容されており、更に、座体は背もたれと重なるように跳ね上げ回動自在である一方、
前記脚部は、金属パイプで側面視山形に形成されたものを左右に配置しており、左右脚を、後端間の左右間隔よりも前端間の左右間隔が狭まるように平面視で逆ハ字状に傾斜させることにより、座体を跳ね上げ回動させると複数の椅子が前後に嵌め合わせた状態で重ね合わせることが可能となっている、
請求項２に記載した連結可能な椅子。
【発明の詳細な説明】
【０００１】
【発明の属する技術分野】
本発明は、左右に連結可能な椅子（ギャンギングチェア）に関するものである。
【０００２】
【従来の技術】
例えば会議室等に設置する椅子は、左右に連結できるようにすることが行われている。従来において椅子を左右に連結する目的は、多数の椅子を一列状に並べた状態に保持することにあり、連結構造としては、座体同士を連結したり脚同士を連結したりしている。
【０００３】
椅子を連結可能とすることに加えて、倉庫等に格納するに際して格納スペースを有効利用するため、複数の椅子を上下に嵌め合わせた状態で積み重ね（垂直スタッキング）できるようにしたり、前後に嵌め合わせた状態で重ね合わせ（水平スタッキング）できるようにしたりすることも行われている。
【０００４】
従来の連結可能な椅子は、連結した状態でも１台の椅子を１人の人が使用することを前提としており、このため、座体及び背もたれは人の身体の曲面に合わせた構造になっていることが殆どであると共に、連結した状態で隣合った椅子の側面間に若干の間隔が空くように設定していることも多い。
【０００５】
【発明が解決しようとする課題】
ところで、人の身体の大きさは様々であり、連結した椅子を使用するにおいて、通常の椅子では身体が左右両側にはみ出る程に太った人がいる一方、例えば幼児や小学校低学年児童のように通常の椅子では着座スペースに余裕が残る場合もある。
【０００６】
また、通常の体格の場合でも、隣の人との間にある程度の間隔を空けて座りたい場合や、逆に、肩を寄せ合うようにして詰めた状態で座りたい場合もある。
【０００７】
しかるに、従来の連結式椅子は、連結状態であっても１台の椅子には１人の人が座ることを前提としているため、すなわち、人が隣合った椅子に跨がった状態で腰掛けることは不可能であるため、使用者の体格の違いや使用態様の要望の違いに応えることができないという問題があった。すなわち、従来の椅子は融通が利かないという問題があった。
【０００８】
本発明は、このような現状を改善することを課題とするものである。
【０００９】
【課題を解決するための手段】
請求項１の発明に係る椅子は、座体同士又は背もたれ同士のうち少なくとも座体同士を一体的に連続させた状態で左右並設できると共に、当該左右並設した状態に保持し得る連結手段を備えることにより、左右に並設した２つの椅子に跨がった状態で人が着座することを可能ならしめている。
【００１０】
請求項２の発明は、請求項１において、脚部と座体と背もたれとを備えていると共に、座体同士及び背もたれ同士が一体的に連続するように並設した状態に連結可能な椅子であって、複数個の椅子を、上下に嵌め合わせた状態で積み重ねることが許容されているか、又は、前後に嵌め合わせた状態で水平方向に重ね合わせることが許容されている。
【００１１】
請求項３の発明は、請求項２において、前記座体は平面視で四角形に、背もたれは正面視で四角形にそれぞれ形成されており、座体及び背もたれの左右側面を平面視で直線状に延びるように揃えることにより、複数の椅子をその座体の左右側面と背もたれの左右側面とが互いに重なった状態に並設することが許容されている。
【００１２】
一方、前記脚部は、座体の下面から下方に延びる前後左右４本の独立脚を備えており、これら独立脚を側面視でハ字状に傾斜させており、更に、前記座体のみ又は座体と背もたれとに、複数の椅子を上下に配置したとき上段の椅子における各脚が貫通する穴を設けることにより、複数の椅子を上下に嵌め合わせた状態で積み重ねることが可能となっている。
【００１３】
請求項４の発明は、請求項２において、座体は平面視で四角形に、背もたれは正面視で四角形にそれぞれ形成されており、座体及び背もたれの左右側面を平面視で直線状に延びるように揃えることにより、複数の椅子をその座体の左右側面と背もたれの左右側面とが互いに重なった状態に並設することが許容されており、更に、座体は背もたれと重なるように跳ね上げ回動自在である。
【００１４】
一方、前記脚部は、金属パイプで側面視山形に形成されたものを左右に配置しており、左右脚を、後端間の左右間隔よりも前端間の左右間隔が狭まるように平面視で逆ハ字状に傾斜させることにより、座体を跳ね上げ回動させると複数の椅子が前後に嵌め合わせた状態で重ね合わせることが可能となっている。
【００１５】
【発明の作用・効果】
本発明の椅子は、複数個を連結するとベンチと同様になって、人は連結された椅子群の任意の部位に着座することができるため、例えば３個の椅子群を小柄の４人の人が使用したり、逆に、３個の椅子群を大柄の人が２人で均等に使用したりというように、連結した椅子の個数と関係なく、使用者の体格等に応じた多彩な使用態様を選択することができる。
【００１６】
従って本発明によると、単独での使用は確保しつつ、連結状態では使用者の要望に応じた使用態様を選択できる融通性の高い椅子を提供することができる。
【００１７】
請求項２〜請求項４のように構成すると、複数の椅子を、互いに嵌まり合った状態で鉛直方向（上下方向）又は水平方向に重ね合わせることができるため、不使用時に倉庫等に格納するに際してスペースを有効利用することができる利点がある。
【００１８】
また、請求項２のように、背もたれ同士も一体的に連続させると、隣合った２つの椅子に跨がった状態で着座した場合、背中に対する違和感も無くすことができるため、より好適である。
【００１９】
【発明の実施形態】
次に、本発明の実施形態を図面に基づいて説明する。
【００２０】
（１）．第１実施形態（図１〜図５）
図１〜図５では第１実施形態を示している。図１のうち（Ａ）は並設した状態での斜視図、（Ｂ）は（Ａ）のＢ−Ｂ視断面図、図２のうち（Ａ）は平面図、（Ｂ）は正面図、（Ｃ）は（Ｂ）のＣ−Ｃ視断面図、図３は積み重ね状態の断面図である。
【００２１】
▲１▼．基本構造及び積み重ね
椅子１は、平面視略直角四辺形の座体２と、同じく正面視略直角四辺形の背もたれ３と、パイプ製の脚部４とを備えている。座体２と背もたれ３とは合成樹脂によってシェル状に形成されており、両者は一体に連続している（もちろん、座体２と背もたれ３とは別体にしても良い）。
【００２２】
座体２の上面と背もたれ３の前面とは略フラットになっており、かつ、座体２の側板２ａと背もたれ３の側板３ａとは正面視及び平面視で直線状に連続している。従って、椅子１は、座体２の上面及び背もたれ３の前面を同一面状に連続させた状態で左右に並設することができる。座体２及び背もたれ３とも、人が着座しても撓み変形しない硬い構造とするのが好ましい。また、座体２と背もたれ３とにはクッションを張ることも可能である。
【００２３】
座体２の上面と背もたれ３の前面とは必ずしも平坦面に形成する必要はなく、例えば座体２の場合は、着座した人の臀部がフィットするように側面視で上向き凹状に形成することは差し支えない。但し、この場合でも、上向き凹の状態が左右全長にわたって連続するように形成するべきである。
【００２４】
すなわち、座体２の上面は左右全長にわたって略同じプロフィールと成すべきであり、これにより、人は、連結状態で、隣合った２つの椅子１に跨がった状態で違和感無しに着座することができる。
【００２５】
同様に、背もたれ３の前面も側面視で前向き凸状又は前向き凹状に湾曲させることは差し支えないが、そのプロフィールを左右全長にわたって連続させるのが好ましい。つまり、座板２の上面及び背もたれ３の前面とも、任意の前後位置で左右方向に略直線状に延びるように形成すべきである。
【００２６】
脚部４は、スチールやアルミの金属パイプからなっており、前後左右の４本の独立脚５を備えている。前後の独立脚５の上端は水平部６によって一体に連続している。左右の水平部６は補強用ステー７で接続されている。座体２はねじ止め等の各種の手段によって水平部６及びステー７に固定されている。
【００２７】
各独立脚５のうち前部の２本は側面視で後傾状に傾斜しており、後部の２本は側面視で前傾状に傾斜しており、このため、前後の独立脚５は側面視でハ字状の形態を成している。後部の独立脚５は、その下部が平面視で背もたれ３と部分的に重なるように延びている（安定性を高めるためである）。
【００２８】
そして、座体２と背もたれ３とには、独立脚５が若干の余裕を持って嵌まる横幅で且つ平面視で各独立脚５と重なるように前後方向に延びる前後一対ずつの長穴８が空けられている。
【００２９】
このように独立脚５が側面視で傾斜していることと、座体２と背もたれ３とに長穴８が空いていることとにより、図３に示すように、上段に位置した椅子１の独立脚５を下段に位置した椅子の長穴８に嵌め込むことにより、多数の椅子１を上下に嵌め合わせた状態で鉛直方向に積み重ねることができる。すなわち、鉛直方向にスタッキングすることができる。
【００３０】
なお、後部の長穴８が背もたれ３までかかっているのは、既述した通り、後部独立脚５の下端が平面視で背もたれ３と重なるように後方に延びているからであり、後部の独立脚５が平面視で座体２とだけ重なっている場合は、長穴８は座体２のみに設ければ良い。
【００３１】
各独立脚５は正面視でハ字状に傾斜させても良いし（この場合は長穴８は左右方向に長く延びる）、４本の独立脚５が正面視と側面視との両方でハ字状となるように傾斜させても良い（この場合は、長穴８は平面視で放射方向に長く延びることになる）。
【００３２】
▲２▼．連結手段
椅子１を左右に並設した状態に保持する連結手段の一例を図４に示している。図４のうち（Ａ）は分離断面図、（Ｂ）は（Ａ）のＢ−Ｂ視図、（Ｃ）は（Ａ）のＣ−Ｃ視図、（Ｄ）は（Ａ）のＤ−Ｄ視図、（Ｅ）は連結状態の縦断面図である。
【００３３】
この実施形態では、座体２及び背もたれ３における一方の側板２ａ，３ａに、係合手段の一環を成す頭付きのピン部９を横向きに突設する一方、座体２及び背もたれ３における他方の側板２ｂ，３ｂに、同じく係合手段の一環として、前記ピン部９に上方から嵌まり込む下向き開口の係合溝１０を形成している。
【００３４】
従って、一方の椅子１を持ち上げて、その係合溝１０を他方の椅子１のピン部９に落し込み係合させることにより、隣合った椅子１は前後左右いずれの方向にも離反不能に保持される。ピン部９への係合溝１０の嵌め込みを容易ならしめため、係合溝１０の下部は末広がりに拡大するのが好ましい。
【００３５】
ピン部９及び係合溝１０の個数は任意に設定することができるが、座体２と背もたれ３とに複数個ずつ設けると、座体２と背もたれ３との群をしっかりと連結できるため、好適であると言える。もちろん、椅子１を連結するという基本的機能を確保するためには、座体２と背もたれ３とのいずれかに１箇所だけ設ければ足りる。
【００３６】
▲３▼．使用態様
椅子１を左右に連結すると、座体２の群と背もたれ３の群とはそれぞれ１枚板状になるため、人は、隣合った２つの椅子に跨がった状態で違和感なく着座することができる。このため様々な態様で使用できる。その場合の何例かを図５に示している。
【００３７】
図５のうち（Ａ）は各椅子１を１人で使用している状態の図、（Ｂ）は、４つに連結した椅子のうち１つは１人で使用して他の３つは体格の大きい人が２人で使用している状態の図、（Ｃ）は４つの椅子を体格の小さい人（例えば児童）が５人で均等に使用している状態の図、（Ｄ）は、左右両端の椅子１は通常の体格の人（例えば両親）がそれぞれ１人で使用し、間に位置したの２つの椅子１を体格の小さい３人の人（例えば幼児や児童のような子供）で使用している状態の図である。
【００３８】
もちろん、これら以外の様々の態様で使用することができる。例えば、使用者が巨漢の場合、２つの椅子を１人で使用することも可能である。
【００３９】
連結した椅子群に人が寝る場合があり、この場合、従来の椅子では座体２の群の上面は正面視で凹凸状になっていることが殆どであるためゴツゴツとして寝心地が極めて悪いが、本実施形態では座体２の群は正面視で直線状に延びているため、身体への負担を軽減できる利点がある。
【００４０】
（２）．第２実施形態（図６）
図６では、連結手段の別例である第２実施形態を示している。（Ａ）は要部の分離断面図、（Ｂ）は（Ａ）のＢ−Ｂ視平面図である。
【００４１】
この第２実施形態では、座体２における一方の側板２ａに、係合手段の一環として複数割り式の係合爪１２を突設する一方、他方の側板２ｂには、係合手段の一環として係合穴１３を設けて、係合爪１２をその弾性に抗して係合穴１３に嵌め込むことにより、椅子１を連結できるようにしている。
【００４２】
言うまでもないが、ある程度の力を掛けて引っ張れば、係合爪１２と係合穴１３との係合を解除できる。係合爪１２及び係合穴１３とは背もたれ３の側板３ａ，３ｂにも設けるのが好ましい。
【００４３】
（３）．第３〜第４実施形態（図７〜図８）
図７で示す第３実施形態も連結手段の別例である。（Ａ）は要部の分離断面図、（Ｂ）は（Ａ）のＢ−Ｂ視平断面図である。
【００４４】
この第３実施形態では、座体２における一方の側板２ａの内側に、側板２ａの内側に隠れた退避姿勢と側板２ａの外側に突出する水平姿勢とに上下回動自在な可動係合爪１４を設ける一方、他方の側板２ｂには、水平姿勢の可動係合爪１４が弾性に抗して嵌合し得る係合穴１５を受けている。可動係合爪１４はブラケット部１６にピン１７で取り付けられている。
【００４５】
図８で示す第４実施形態も、上下回動式の可動係合爪１５を備えている連結手段の別例である。（Ａ）は要部の分離断面図、（Ｂ）は（Ａ）のＢ−Ｂ視平断面図である。
【００４６】
この実施形態では、可動係合爪１５は水平姿勢で平面視Ｔ字状をなすように頭付きに形成されており、他方の側板２ｂに、可動係合爪１５の巾狭部が嵌まる下向き開口の係合溝１８を形成している。
【００４７】
これら図７や図８の実施形態の場合、可動係合爪１４は不使用時には側板２ａの内側に隠しておけるため、人の衣服等が引っ掛かることを防止できる利点がある。図８の実施形態の場合、片方の椅子を持ち上げて係合溝１８を可動係合爪１４に嵌脱するだけで椅子同士の連結・連結解除を簡単に行える利点がある。
【００４８】
（４）．第５〜第６実施形態（図９〜図１０）
連結手段としては、座体２や背もたれ３とは別体の連結具を使用することも可能である。
【００４９】
その例として図９に示す第５実施形態では、座体２（及び背もたれ３）の側板２ａ，２ｂに係合穴１９を空けておき、両者の係合穴１９に複数割り式のスナップピン２０を嵌め込むことにより、椅子の連結を行っている。
【００５０】
他方、図１０に示す第６実施形態では、連結具として連結板２１が使用されており、その左右両側縁に、隣合った椅子１における前後の独立脚５が嵌まる係合溝２２を切り開き形成している。
【００５１】
この場合、前後の独立脚５は第１実施形態と同じで側面視ハ字状の姿勢で傾斜している一方、係合溝２２は、横向き開口部２２ａに前後外向きの縦向き嵌合部２２ｂが連続するように平面視でＬ形に形成されている。
【００５２】
そして、前後の独立脚５は側面視で下広がり状に傾斜しているため、横向き開口部２２ａを前後の独立脚５に嵌め込んでから連結板２１を下方にずらすと、縦向き嵌合部２２ｂが独立脚５にきっちりと嵌合して、連結板２１と独立脚５と前後左右のいずれにも移動不能に保持され、これにより、左右の椅子１をずれ不能に連結することができる。
【００５３】
（５）．第７実施形態（図１１）
図１１では垂直方向の積み重ねを可能ならしめる手段の別例としての第７実施形態を示している。（Ａ）は側面図、（Ｂ）は（Ａ）の部分的な正面図である。なお、連結手段は省略している。
【００５４】
この実施形態では、背もたれ３は座体２と重なるように回動自在に構成されている一方、前後の独立脚５は側面視ハ字状の形態を成していると共に、その上端が座体２の前後縁に位置するように設定されている。この実施形態では、背もたれ３を倒すと、多数の椅子１を真上に積み重ねることができる。
【００５５】
隣合った椅子１における座体２の側面を密着させ得るように、各独立脚５は座体２の側面からはみ出ないように設定されている。
【００５６】
（６）．第８実施形態（図１２〜図１５）
図１２〜図１５では第８実施形態を示している。図１２のうち（Ａ）は右側面図、（Ｂ）は（Ａ）のＢ−Ｂ視部分断面図、（Ｃ）は（Ｂ）のＣ−Ｃ視断面図、（Ｄ）は座体２を跳ね上げた状態での（Ｃ）と同様の図、図１３は平面図、図１４は正面図、図１５はスタッキング状態の側面図である。
【００５７】
この実施形態では、脚部４において水平部６はごく短い寸法であり（皆無でもよい）、前傾姿勢の前部独立脚５′と後傾姿勢の後部単位脚５″とで左右脚の大部分が構成されている。そして、座体２は、その後端部を中心にして跳ね上げ回動し得るように、水平部６から上向き突設したブラケット２４にピン２５で取り付けられている。
【００５８】
なお、脚部をパイプ製のフレーム構造にした椅子において座体を跳ね上げ式とする場合、左右の単位脚を座体２の左右外側に配置していることが多いが、座体の側面を密着させた状態で椅子同士を連結するためには、左右の独立脚５′，５″は座体２の側面の外側にはみ出していてはならず、このため、本実施形態では座体２をブラケット２４に取り付けている。
【００５９】
図１３及び図１４に示すように、脚部４は、前端間の間隔が狭くて後端間の間隔が広くなるように平面視で逆ハ字状の姿勢となっている。また、左右の前部独立脚５′はその中途高さ部位において前部ステー２６で連結されている一方、座体２には、前部ステー２６に当たるストッパー２７を下向き突設している。左右の後部独立脚５″の上端は後部ステー２８によって連結されており、後部ステー２８から立設した複数本の背支柱２９に背もたれ３を取り付けている。
【００６０】
この実施形態では、前部の独立脚５′が大きく後傾していると共に、脚部４が全体として平面視で逆ハ字状の姿勢になっているため、図１５に示すように、座体２を跳ね上げ回動させると、脚部部４互いに嵌め合わせた状態で多数の椅子１を水平方向に重ね合わせることができる。
【００６１】
この実施形態では連結手段は表示していないが、従前に開示した各種の態様又は別の態様により、座体同士又は背もたれ同士若しくは脚部同士のうち少なくとも１つを連結したら良い。
【００６２】
なお、この第８実施形態から容易に理解できるように、座体と背もたれとは連続している必要はなく、座体の後端と背もたれの下端との間に空間が空いていても良いのである。
【００６３】
（７）．第９実施形態（図１６）
図１６では第９実施形態を示している。（Ａ）は連左右に並設した状態での正面図、（Ｂ）は（Ａ）のＢ−Ｂ視図である。
【００６４】
この実施形態では、４本の独立脚３０，３１を正面視及び側面視でハ字状の姿勢と成すと共に、正面視において独立脚３０，３１が座体２の外側にはみ出るように形成することにより、多数の椅子１を鉛直方向に積み重ねできるように構成している。
【００６５】
更に、独立脚３０，３１を左右対称に配置するのではなくて、左側の独立脚３０と右側の独立脚３１とを前後方向にずらすことにより、座体２の側面をたがいに密着させた状態に椅子を並設することが可能ならしめられている。これによっても、座体２と背もたれ３とが一体に連続するように連結できる機能を損なうことなく、垂直方向に積み重ねることができる。
【００６６】
（７）．第１０実施形態（図１７〜図１８）
図１７〜図１８では第１０実施形態を示している。図１７のうち（Ａ）は椅子の概略斜視図、（Ｂ）は側面図、図１８は連結状態を示す部分的な正面図である。
【００６７】
この実施形態では、左右の脚３２，３３を、前後起立部３２ａ，３３ａの下端に前後長手の下水平部３２ｂ，３３ｂが一体に連設された形態と成したものにおいて、各起立部３２ａ，３２ｂの上端を座体２の外側に位置させると共に、左右の脚３２，３３を全体として正面視でハ字状に傾斜させることにより、椅子１を鉛直方向に積み重ねることが許容されている。
【００６８】
そして、左右の脚３２，３３を左右対称状に形成するのではなく、一方の脚３２の内部に他方の脚３３が嵌まり込み得るように左右脚３２，３３の前後巾寸法を異ならせており、このため、図１８（Ｂ）に示すように、座体２及び背もたれ３の側面を重ねた状態で椅子１を左右に並設することができる。
【００６９】
更に、前後間隔の広い脚部（左脚部）３２の下水平部３２ｂに前後一対の第１連結体３４を固定し、前後間隔の狭い脚（右脚）３３の下水平部３３ｂには、第１連結体３４の内側に位置する一対の第２連結体３５を固定している。
【００７０】
第１連結体３４は外向きに突出していて、その突出部の下面には、下水平部３３ｂに上方から嵌合し得る係合溝３６が形成されている一方、第２連結体３５は内向きに突出していて、その内向き突出部の下面には、下水平部３２ｂに上方から嵌合し得る係合溝３６が形成されている。
【００７１】
従って、図１８（Ａ）に示すように、座体２の側面の間に間隔を空けた状態で椅子を並設した状態では、第１連結体３４を隣の椅子１の下水平部３３ｂに嵌合させることにより、椅子１同士を前後左右ずれ不能に保持することができる。
【００７２】
逆に、図１８（Ｂ）に示すように、座体２の側面を重ねた状態に椅子１同士を並設した場合は、第２連結体３５を隣の椅子１の下水平部３２ｂに嵌め合わせることにより、二つの椅子１を前後左右ずれ不能に保持できる。
【００７３】
この実施形態では、１つの椅子は１人だけで使用する態様と、椅子の個数とは異なる人数の人によって使用できる態様とに選択的に連結することができる。従って、連結状態での使用態様のバリエーションを一層豊富化できる。
【００７４】
なお、本実施形態及び他の実施形態において、座体及び背もたれ３が一連に連なるように並設した場合、背もたれ３が弾性変形して多少は後傾動し得る場合、着座した人の背中が隣合った背もたれの接合部に重なっていると、左右の背もたれの前後傾動のずれにより、上着が背もたれで挟まれる現象が生じる虞があるが、このような現象を防止するため、背もたれ同士も連結しておくのが好ましいと言える。
【００７５】
（８）．その他
本発明は上記の実施形態の他にも様々に具体化することができる。例えば座体や背もたれは合成樹脂製とすることには限らず、木材や合板のような様々の素材を選択できる。座体や背もたれを穴空き板製とすることも可能である。
【００７６】
脚は実施形態のようなフレーム構造とする必要はなく、例えば座体の中心を支持する脚柱から放射状の枝杆を設けた形態などとすることも可能である。脚にキャスターを設けても良い。脚部はパイプ製とする他に、棒材製としたり板金製としたり、或いは合成樹脂製としたりすることも可能である。
【００７７】
また、座体を平面視で台形に形成して、多数の椅子が平面視で円弧状に並んだ状態に連結されるように構成することも可能である。この場合、座体の前端の巾寸法を後端の巾寸法よりも大きくしても良いし、逆でも良い。
【００７８】
連結手段としては、椅子自身に図示したものとは異なる係合手段を設けても良いし、椅子とは分離したファスナー類を使用するなど、例示した態様とは異なる態様を採用できることは言うまでもない。
【図面の簡単な説明】
【図１】第１実施形態を示す図で、　（Ａ）は並設した状態での斜視図、　（Ｂ）は（（Ａ）の　Ｂ−Ｂ視断面図である。
【図２】（Ａ）は平面図、　（Ｂ）は正面図、　（Ｃ）は　（Ｂ）の　Ｃ−Ｃ視断面図である。
【図３】積み重ねた状態の断面図である。
【図４】連結手段を示す図である。
【図５】積み重ねた状態の側断面図である。
【図６】第２実施形態を示す図である。
【図７】第３実施形態を示す図である。
【図８】第４実施形態を示す図である。
【図９】第５実施形態を示す図である。
【図１０】第６実施形態を示す図である。
【図１１】第７実施形態を示す図である。
【図１２】第８実施形態を示す図で、　（Ａ）は右側面図、　（Ｂ）は　（Ａ）の　Ｂ−Ｂ視部分断面図、　（Ｃ）は　（Ｂ）の　Ｃ−Ｃ視断面図、　（Ｄ）は座体を跳ね上げた状態での断面図である。
【図１３】第８実施形態の平面図である。
【図１４】第８実施形態の正面図である。
【図１５】第８実施形態のスタッキング状態の側面図である。
【図１６】第９実施形態を示す図である。
【図１７】第１０実施形態を示す図で、　（Ａ）は斜視図、　（Ｂ）は側面図である。
【図１８】第１０実施形態の連結状態を示す部分正面図である。
【符号の説明】
１　椅子
２　座体
３　背もたれ
４　脚部
５，５′，５″　独立脚
８　長穴
９　ピン部
１０　係合穴
【図１】
2004057572.tif 000003
【図２】
2004057572.tif 000004
【図３】
2004057572.tif 000005
【図４】
2004057572.tif 000006
【図５】
2004057572.tif 000007
【図６】
2004057572.tif 000008
【図７】
2004057572.tif 000009
【図８】
2004057572.tif 000010
【図９】
2004057572.tif 000011
【図１０】
2004057572.tif 000012
【図１１】
2004057572.tif 000013
【図１２】
2004057572.tif 000014
【図１３】
2004057572.tif 000015
【図１４】
2004057572.tif 000016
【図１５】
2004057572.tif 000017
【図１６】
2004057572.tif 000018
【図１７】
2004057572.tif 000019
【図１８】
2004057572.tif 000020